(57)【要約】【課題】衣服と皮膚との狭い隙間にも容易に差し込むことができ、痒い部分を集中的に掻痒することができ、使い勝手も良好な孫の手を提供する。【解決手段】孫の手１０は、基端側に把持部１１を有する柄１２の先端側にカーブしたヘッド部１３を設け、このヘッド部１３の先端に、２つに分岐した爪１５ａ，１５ａを設けることによって形成されている。爪１４ａ，１４ｂの形状は略円錐形状であり、その底面に相当する部分がヘッド部１３と一体構造をなしている。爪１４ａ，１４ｂの先端は、皮膚を傷つけない程度に尖った形状となっている。柄１２の基端側にある把持部１１の基端にはフック孔１６が開設されている。把持部１１を手で握って、柄１２の先端側の２つの爪１４ａ，１４ｂを痒い部分に当てて摺動させることにより、複数の爪１４ａ，１４ｂの部分で痒い部分を集中的に掻くことができる。【選択図】図１
2007111360.tif 000002
【特許請求の範囲】
【請求項１】
基端側に把持部を有する柄の先端側に、カーブ若しくは傾斜したヘッド部を設け、前記ヘッド部の先端に複数の爪を設けたことを特徴とする孫の手。
【請求項２】
前記柄の一部若しくは前記柄と前記把持部との間に、折曲・展開可能な折曲部を設けた請求項１記載の孫の手。
【発明の詳細な説明】
【技術分野】
【０００１】
本発明は、背中や肩など自分の手が届かない部分あるいは着衣に覆われ手で直接触れることのできない部分などを掻痒するときに使用する孫の手に関する。
【背景技術】
【０００２】
一般家庭にある孫の手は、従来、竹製のものが主流であり、その殆どが民芸品調で画一的な形状をしており、使い勝手や機能性を追求したものは少ない。従って、ゴツゴツした武骨な感じがして手触りが良くない、柄が平板状で薄いのでグリップ性が悪く使用中に力を加えにくい、痒い部分を掻くための先端部が肌に密着しにくいなどの短所がある。また、従来の孫の手は掻き心地が悪く、実際に使用したときに痒みが消え難いので、却って、ストレスが増すこともある。
【０００３】
そこで、従来の孫の手に対する改良が行われ、柄の先端に湾曲板状の掻き手部を設けたもの（例えば、特許文献１参照。）、人間の手腕のように肘関節部および手関節部などを設けたもの（例えば、特許文献２参照。）、あるいは肌に触れる部分をブラッシ形状としたもの（例えば、特許文献３参照。）などが提案されている。
【０００４】
【特許文献１】特開平９−７５４１２号公報
【特許文献２】特開平８−５７００９号公報
【特許文献３】実開平６−７４１３５号公報
【発明の開示】
【発明が解決しようとする課題】
【０００５】
特許文献１〜３に記載された孫の手は、従来の竹製の孫の手に比べると、使い勝手が良く、掻痒中の満足感も良好である反面、さまざまな問題点もある。例えば、特許文献１記載の孫の手は、先端掻縁部の幅寸法が５〜８ｃｍ程度あるので、衣服と皮膚との隙間が狭いときは差し込みにくくなり、掻く場所によっては、使い勝手が悪くなることがある。また、特許文献２記載の孫の手においても、手部および指部などで構成された先端部分の形状が比較的大きいため、前述と同様、衣服と皮膚との隙間に差し込みにくいという問題がある。
【０００６】
一方、特許文献３記載の孫の手の場合、ブラッシで掻痒箇所を掻く構造であるため、接触面積が広くなり、痒い部分に力が集中しにくい。また、ブラッシ部分の形状が比較的大きいため、前述と同様、衣服と皮膚との隙間に差し込み難いという問題もある。
【０００７】
そこで、本発明が解決しようとする課題は、衣服と皮膚との狭い隙間にも容易に差し込むことができ、痒い部分を集中的に掻痒して、痒みを素早く解消することができ、使い勝手も良好な孫の手を提供することにある。
【課題を解決するための手段】
【０００８】
本発明の孫の手は、基端側に把持部を有する柄の先端側に、カーブ若しくは傾斜したヘッド部を設け、前記ヘッド部の先端に複数の爪を設けたことを特徴とする。このような構成とすれば、把持部を手で握って、柄の先端側に設けられた、カーブ若しくは傾斜したヘッド部の爪を痒い部分に当てて摺動させることにより、爪の部分で痒い部分を集中的に掻痒することができるため、痒みを素早く解消することができる。また、衣服と皮膚との狭い隙間にも容易に差し込むことができる。さらに、把持部に加えた力を、柄およびヘッド部を介して的確に先端の爪に伝えることができるため、使い勝手も良好である。
【０００９】
本発明の孫の手の場合、カーブ若しくは傾斜したヘッド部がせり出しているので、皮膚に沿って這うように密着し、爪部分が痒いポイントを的確に捉えることができる。また、カーブしたヘッド部は押さえが効くので、力を入れやすく、比較的軽い力で確実に掻痒点を押さえることができ、掻痒点がズレたり移動したりすることがない。このため、高齢者や障害者などの手力の弱い人でも無理なく使用することができる。さらに、ヘッド部がカーブしているため、肩越しに使用したり、横にして腰部を掻いたりする際にも、身体に沿った状態とすることができ、使い易い。また、本発明の孫の手は先端に複数の爪を備えているため、恰も自分の指先の爪で掻くのと同様の、細やかで効き目のある掻き心地を得ることができ、速やかに掻痒感を解消することができる。
【００１０】
ここで、前記柄の一部若しくは前記柄と前記把持部との間に、折曲・展開可能な折曲部を設けることもできる。このような構成とすれば、必要に応じて、折曲部で折り曲げることにより、全体の長さを短くすることが可能となるため、持ち運んだり、収納したりする場合の占有スペースを小さくすることができる。孫の手が必要となったときには、折曲部を展開すれば元の長さに戻るので、支障なく使用することができる。なお、折曲部で折り曲げたときヘッド部が露出するようにしておけば、折曲状態のままでも使用することができる。
【発明の効果】
【００１１】
本発明により、衣服と皮膚との狭い隙間にも容易に差し込むことができ、痒い部分を集中的に掻痒することができ、痒みを素早く解消することができ、使い勝手も良好な孫の手を提供することができる。
【発明を実施するための最良の形態】
【００１２】
以下、図面に基づいて本発明の実施の形態である孫の手について説明する。図１は本発明の実施の形態である孫の手を示す側面図であり、図２は図１に示す孫の手の先端部を拡大して示す斜視図である。
【００１３】
図１，図２に示すように、本実施形態の孫の手１０は、基端側に把持部１１を有する柄１２の先端側に、カーブしたヘッド部１３を設け、このヘッド部１３の先端に２つに分岐した爪１４ａ，１４ｂを設けることによって形成されている。爪１４ａ，１４ｂは略円錐形状であり、その基端部分がヘッド部１３と一体構造をなしている。爪１４ａ，１４ｂの先端は、皮膚を傷つけない程度に尖った形状になっている。柄１２の基端側にある把持部１１の基端にはフック孔１６が開設されている。
【００１４】
孫の手１０を使用する場合、従来と同様、把持部１１を手で握って、柄１２の先端側の２つの爪１４ａ，１４ｂを痒い部分に当てて摺動させることにより、複数の爪１４ａ，１４ｂの部分で痒い部分を集中的に掻くことができるため、痒みを素早く解消することができる。従って、従来の孫の手のように、掻き心地が悪いが故に、ストレスが増すようなこともない。
【００１５】
また、爪１４ａ，１４ｂを有するヘッド部１３は柄１２の先端側にカーブして設けられるとともに、爪１４ａ，１４ｂは柄１２と直交する方向に突出している。また、爪１４ａ，１４ｂを有するヘッド部１３は非常に細くて滑らかなので、衣服と皮膚との狭い隙間、例えば、衣服の袖部分と腕との隙間などにも容易に差し込むことができる。さらに、把持部１１に加えられた力は柄１２およびヘッド部１３を介して的確に先端の爪１４ａ，１４ｂに伝わるため、使い勝手も良好である。爪１４ａ，１４ｂの個数は本実施形態の個数に限定するものではないので、任意に設定することができる。
【００１６】
本実施形態の孫の手１０の場合、カーブしたヘッド部１３がせり出しているので、皮膚に沿って這うように密着して、爪１４ａ，１４ｂが痒いポイントを的確に捉えることができ、痒みを素早く解消することができる。また、カーブしたヘッド部１３は押さえが効くので、力を入れやすく、比較的軽い力で確実に掻痒点を押さえることができ、掻痒点がズレたり移動したりすることがない。このため、高齢者や障害者など手の力の弱い人でも無理なく使用することができる。さらに、ヘッド部１３がカーブしているため、肩越しに使用したり、横にして腰部を掻いたりする際にも、身体に沿った状態とすることができ、使い易い。また、孫の手１０は複数の爪１４ａ，１４ｂを備えているため、実際に使用したとき、恰も自分の指先の爪で掻くのと同様の、細やかで効き目のある掻き心地を得ることができ、速やかに掻痒感を解消することができる。
【００１７】
一方、把持部１１は片手で握りやすいサイズ、形状となっているため、把持部１１を片手で確実に保持することができる。このため、使用中の安定感が高く、使用感も良好である。また、把持部１１の基端に開設されたフック孔１６を利用すれば、使用していないときの孫の手１０を壁面のフックなどに吊り下げ保持することができる。
【００１８】
孫の手１０の柄１２、把持部１１、ヘッド部１３および爪１４ａ，１４ｂなどを形成する素材については特に限定するものではないが、合成樹脂材料を用いれば、軽量化、デザインの多様化を図ることができる。また、合成樹脂材料であれば射出成形工程を利用した一体成形による量産化が可能となるため、コストダウンも実現することができる。
【００１９】
次に、図３を参照して、その他の実施の形態について説明する。図３（ａ）は本発明の第２実施形態である孫の手を展開状態で示す側面図、図３（ｂ）は前記孫の手を折り曲げ状態で示す側面図である。なお、図３において、図１，図２で示した符号と同じ符号を付している部分は前述した孫の手１０の構成部分と同じ機能、効果を有する部分であるため、説明を省略する。
【００２０】
図３に示すように、本実施形態の孫の手２０においては、ヘッド部１３を有する柄１２と把持部２１とを折曲部２２を介して回動可能に連結している。柄１２と把持部２１とは折曲部２２の支軸２２ａを中心に折り曲げたり、展開したりすることができる。従って、図３（ａ）に示す展開状態にすれば、前述の孫の手１０と同様の使い方で、背中などを掻くことができ、また、図３（ｂ）に示す折り曲げ状態にすれば、全体の長さは半分程度まで小さくなるとともに、柄１２が断面コ字状をした把持部２１内に収容される。このため、孫の手２０を持ち運んだり、収納したりする際の占有スペースを小さくすることができ、便利である。
【００２１】
また、孫の手２０が図３（ｂ）に示す折り曲げ状態にあるとき、ヘッド部１３および爪１４ａ，１４ｂは把持部２１の基端側から露出した状態にあるため、把持部２１を手で握って爪１４ａ，１４ｂを痒い部分に接触させて動かせば、孫の手として使用することができる。従って、何らかの理由により自分の爪で直接皮膚を掻けない人の掻痒器具としても使用することができる。なお、孫の手２０が図３（ｂ）に示す折り曲げ状態にあるとき、把持部２１内に収容された柄１２は、把持部２１内の壁部２１ａに接触して支えられているため、把持部２１に加えた押圧力は確実に爪１４ａ，１４ｂに伝わり、優れた掻き心地が得られ、痒みを素早く解消することができる。
【産業上の利用可能性】
【００２２】
本発明の孫の手は、工業的生産工程を経て量産可能であり、一般家庭などに常備して広く利用することができる。
【図面の簡単な説明】
【００２３】
【図１】本発明の第１実施形態である孫の手を示す側面図である。
【図２】図１に示す孫の手の先端部を拡大して示す斜視図である。
【図３】本発明の第２実施形態である孫の手を示す側面図である。
【符号の説明】
【００２４】
１０，２０  孫の手
１１，２１  把持部
１２  柄
１３  ヘッド部
１４ａ，１４ｂ  爪
１６  フック孔
２１ａ  壁部
２２  折曲部
２２ａ  支軸
【図１】
2007111360.tif 000003
【図２】
2007111360.tif 000004
【図３】
2007111360.tif 000005